(57)【要約】【課題】印字率が高い変形した用紙であっても空送せず、印字率が低い用紙であっても重送しない精度の高い確実な搬送ができる印刷装置を提供する。【解決手段】用紙Ｐにインクで画像を印刷する印刷部３と、印刷部で印刷された用紙を貯留部４から搬出するベルト式の搬出装置１２と、用紙を搬出装置のベルトに吸着させる吸引部２５と、用紙の印字率に応じて吸引部の吸引力を制御する制御部を具備している。印字率が相対的に大きい場合には吸引力を相対的に増大し、印字率が相対的に小さい場合には吸引力を相対的に減少させる。印刷済みの用紙をベルト搬送部で常に安定して搬送できる。【選択図】図１
2012040805.tif 000002
【特許請求の範囲】
【請求項１】
用紙にインクで画像を印刷する印刷部と、前記印刷部で印刷された用紙を搬送するためのベルト搬送部と、前記印刷部で印刷された用紙を前記ベルト搬送部で搬送するために前記用紙を前記ベルト搬送部に吸着させる吸引部と、印刷された用紙の印字率に応じて前記吸引部による吸引力を制御する制御部とを具備することを特徴とする印刷装置。
【請求項２】
前記制御部は、さらに前記インクの温度と前記用紙の種類の少なくとも一方に応じて前記吸引部による吸引力を制御することを特徴とする請求項１記載の印刷装置。
【請求項３】
前記吸引部は、吸引ファンと該吸引ファンと前記ベルト搬送部との間に設けられた開度調整自在なシャッター装置とを備えており、前記吸引部による吸引力の制御は、吸引ファンの回転力と前記シャッター装置の開度の少なくとも一方を調節して行なうことを特徴とする請求項２記載の印刷装置。
【請求項４】
前記印刷部は、用紙の表に画像を印刷する第１の印刷部と、用紙の裏に画像を印刷する第２の印刷部を有しており、
前記第１の印刷部と前記第２の印刷部の間には、前記第１の印刷部で印刷された用紙を受け入れて前記第２の印刷部での印刷のために待機させる貯留部が設けられており、
前記ベルト搬送部と前記吸引部は、前記第１の印刷部と前記貯留部の間と、前記貯留部と前記第２の印刷部の間に設けられており、
前記制御部が行なう前記吸引部の制御は、前記貯留部と前記第２の印刷部の間に設けられた前記吸引部について行なわれることを特徴とする両面印刷用である請求項３記載の印刷装置。
【発明の詳細な説明】
【技術分野】
【０００１】
本発明は、インクで用紙に画像を印刷してベルトで搬送する印刷装置に係り、特に印字率が高く多量のインクの転移により変形した用紙であっても空送することがなく、また印字率が低い用紙であっても重送することのない確実な搬送を行なうことができる印刷装置に関するものである。
【背景技術】
【０００２】
下記特許文献１に開示されている孔版式の両面印刷機は、２つの印刷部の間に反転搬送装置３６を有している。この反転搬送装置３６は、用紙の片面を印刷する第１の印刷部１１から下方へ回り込む反転搬送経路Ｍを形成する反転搬送ベルト４６等と、片面印刷済みの用紙の未印刷面を反転搬送ベルト側に吸引する吸引ファン５２とを備えている。反転搬送装置３６により、第１の印刷部１１で印刷された片面印刷済みの用紙を第１の印刷部１１の下方の用紙積載台３０まで吸引しながら反転搬送する。用紙積載台３０の第２の印刷部１２側には、繰出しベルト６６とこれに用紙を吸着させる吸引ファン６９を備えた中間給紙装置３１が配置されており、これによって未印刷の他方の面を上にした用紙が第２の印刷部１２に送られる。
【先行技術文献】
【特許文献】
【０００３】
【特許文献１】特開２００５−２９３７５号公報
【発明の概要】
【発明が解決しようとする課題】
【０００４】
前記特許文献１の両面印刷機によれば、第１の印刷部で表面を印刷した用紙を反転させて用紙積載台に収容し、この用紙を第２の印刷部に送って裏面を印刷するために、吸引ファンで繰出しベルトに吸着させて搬送しているが、表面が印刷済みの用紙をベルトに吸着させるファンの吸引力は一定であった。
【０００５】
しかしながら、用紙に付着するインク量が多い場合には、用紙の重量増加やインクの吸収による用紙の変形（波うち、カール等）による空気漏れのため、吸着力が足りなくなり、ベルトに用紙を吸着できずに空送する場合があった。逆に、付着するインク量が少ない場合には、用紙に対する空気の通りがよくなるために用紙の吸着力が高くなりすぎ、１枚目の用紙と同時に２枚目の用紙も吸着して重送してしまう場合があった。
【０００６】
本発明は、以上の課題に鑑みてなされたものであり、印字率が高く多量のインクの転移により重量が増加し変形した用紙であっても空送することがなく、また印字率が低い用紙であっても重送することのない精度の高い確実な搬送を行なうことができる印刷装置を提供することを目的としている。
【課題を解決するための手段】
【０００７】
請求項１に記載された印刷装置は、
用紙にインクで画像を印刷する印刷部と、前記印刷部で印刷された用紙を搬送するためのベルト搬送部と、前記印刷部で印刷された用紙を前記ベルト搬送部で搬送するために前記用紙を前記ベルト搬送部に吸着させる吸引部と、印刷された用紙の印字率に応じて前記吸引部による吸引力を制御する制御部とを具備することを特徴としている。
【０００８】
請求項２に記載された印刷装置は、請求項１記載の印刷装置において、
前記制御部は、さらに前記インクの温度と前記用紙の種類の少なくとも一方に応じて前記吸引部による吸引力を制御することを特徴としている。
【０００９】
請求項３に記載された印刷装置は、請求項２記載の印刷装置において、
前記吸引部は、吸引ファンと該吸引ファンと前記ベルト搬送部との間に設けられた開度調整自在なシャッター装置とを備えており、前記吸引部による吸引力の制御は、吸引ファンの回転力と前記シャッター装置の開度の少なくとも一方を調節して行なうことを特徴としている。
【００１０】
請求項４に記載された印刷装置は、請求項３記載の印刷装置において、
前記印刷部は、用紙の表に画像を印刷する第１の印刷部と、用紙の裏に画像を印刷する第２の印刷部を有しており、
前記第１の印刷部と前記第２の印刷部の間には、前記第１の印刷部で印刷された用紙を受け入れて前記第２の印刷部での印刷のために待機させる貯留部が設けられており、
前記ベルト搬送部と前記吸引部は、前記第１の印刷部と前記貯留部の間と、前記貯留部と前記第２の印刷部の間に設けられており、
前記制御部が行なう前記吸引部の制御は、前記貯留部と前記第２の印刷部の間に設けられた前記吸引部について行なわれる両面印刷用の装置であることを特徴としている。
【発明の効果】
【００１１】
印刷された用紙をベルト搬送部に吸着して搬送する場合には、印字率が高くインクの用紙への転移量が大きいと、用紙の重量が増大し、多量のインクの含浸により用紙が変形してベルトとの隙間から空気漏れが生じる等、用紙をベルト搬送部に吸着させる作用が弱まってしまう。このため、請求項１に記載された印刷装置によれば、用紙の印字率が相対的に大きい場合には吸引部の吸引力を相対的に増大し、用紙の印字率が相対的に小さい場合には吸引部の吸引力を相対的に減少させる等、印刷された用紙の印字率に応じて前記吸引部による吸引力を制御している。このため、印刷済みの用紙をベルト搬送部で常に安定して搬送することができる。
【００１２】
請求項２に記載された印刷装置によれば、請求項１記載の印刷装置による制御において、さらに、インクの温度と用紙の種類の少なくとも一方に応じて、吸引部による吸引力を制御しているので、用紙の印字率だけで制御する場合に比べ、さらに精度の高い確実な搬送を実現できる。
【００１３】
請求項３に記載された印刷装置によれば、以上のような吸引力の制御を、吸引ファンの回転力を調整するか、シャッター装置の開度を調整するか、又は両方を調整することによって行なうことができる。
【００１４】
請求項４に記載された印刷装置によれば、２つの印刷部の間に片面が印刷された用紙を待機させる貯留部を設けた両面印刷用の印刷装置において、片面が印刷された用紙を貯留部から第２の印刷部に送る際に用紙搬送の失敗が少なくなるので、精度の高い確実な両面印刷を実現できる。
【図面の簡単な説明】
【００１５】
【図１】本発明の実施形態である印刷装置の要部拡大図である。
【図２】本発明の実施形態である印刷装置において、ベルト搬送部と吸引部の分解拡散斜視図であり、吸引部が全開の状態を示している。
【図３】本発明の実施形態である印刷装置において、ベルト搬送部と吸引部の分解拡散斜視図であり、吸引部が全閉の状態を示している。
【図４】本発明の実施形態である印刷装置において、原稿（用紙）の画像と、その印字率の変化に応じた吸引部の制御及び吸引力の変化を縦軸の時間に対してグラフで示す図である。
【図５】本発明の実施形態である印刷装置において、原稿（用紙）の画像と、その印字率の変化に応じた吸引部の制御及び吸引力の変化を縦軸の時間に対してグラフで示す図である。
【図６】本発明の実施形態である印刷装置において、用紙のサイズとこれに応じて設定すべき吸引部の吸引力との関係をグラフで示す図である。
【図７】本発明の実施形態である印刷装置において、用紙の紙厚又は紙質とこれに応じて設定すべき吸引部の吸引力との関係をグラフで示す図である。
【図８】本発明の実施形態である印刷装置のブロック構成図である。
【図９】本発明の実施形態である印刷装置の作動手順を示す流れ図である。
【発明を実施するための形態】
【００１６】
本発明の実施形態の印刷装置について、（１）機械的構成、（２）吸引力制御の概要、（３）機能ブロック図と流れ図に基づく制御の詳細な説明の各項目に分けて詳細に説明する。
【００１７】
（１）機械的構成（図１〜図３）
図１に示す本実施形態の印刷装置１は両面印刷用であり、装置ハウジング２と、装置ハウジング２の一側面（図１中、左側面）に設けられて用紙Ｐを供給する図示しない給紙部と、給紙部から給紙された用紙Ｐの一面に印刷する第１の印刷部３と、一面が印刷された複数枚の用紙Ｐを所定間隔をおいて保持、貯留する貯留部４と、貯留部４に貯留されていた用紙Ｐの他面に印刷する第２の印刷部５と、装置ハウジング２の他側面（図１中、右側面）に設けられ、両面が印刷された用紙Ｐを積載する図示しない排紙部とを備えている。
【００１８】
図１に示すように、印刷装置１は、給紙台から第１の印刷部３を経て貯留部４へ用紙Ｐを搬送する第１の搬送部６と、貯留部４から第２の印刷部５を経て排紙部まで用紙Ｐを搬送する第２の搬送部７を備えている。
【００１９】
図１に示すように、第１の搬送部６は、図示しない給紙部の用紙Ｐを第１の印刷部３に搬送する第１タイミングローラ８と、第１の印刷部３により上側の一面が印刷された用紙Ｐを円弧状の軌跡沿いに反転させて一面を下側にする反転装置９と、反転装置９で反転した用紙Ｐを貯留部４に搬入し、後述する下端支持部１０に支持させる搬入装置１１とで概略構成されている。
【００２０】
図１に示すように、第２の搬送部７は、貯留部４内の後述する下端支持部１０から用紙Ｐを搬出する搬出装置１２と、搬出装置１２により搬出された用紙Ｐをピックアップするピックアップローラ１８と、ピックアップローラ１８によってピックアップされた用紙Ｐを順次所定のタイミングで第２の印刷部５に搬送する第２タイミングローラ１９と、第２の印刷部５により他面が印刷された（すなわち両面が印刷された）用紙Ｐを図示しない排紙部に向けて搬出する排出装置２０とで概略構成されている。
【００２１】
図１に示すように、貯留部４に設けられた下端支持部１０は、図示しないモータにより駆動される一対のプーリーの外周に無端ベルトを掛け回してなる搬送手段である。この無端ベルトの外周面には、その全周に亘り所定間隔をおいて複数のプレートが配列されており、用紙Ｐの下端を保持できるようになっている。片面を印刷され、搬入装置１１によって貯留部４内に搬入された用紙Ｐは、印刷された面を下にした状態で、下端支持部１０の無端ベルトの各プレートの間に一枚ずつ投入され、保持される。用紙Ｐの搬入のタイミングに同期して無端ベルトが移動するため、貯留部４内で下端支持部１０に保持された片面印刷の用紙Ｐは、無端ベルトの移動によって順次搬出装置１２に向けて搬送されていく。
【００２２】
図１に示すように、前述した搬入装置１１、搬出装置１２及び排出装置２０は、それぞれ所定間隔を置いて配置された一対のプーリーに無端ベルトを掛け回してなるベルト搬送部であり、ほぼ同様の基本構成を備えている。そこで、搬出装置１２を例にとり、その構造を分解して示す図２及び図３を参照して説明する。
【００２３】
図２及び図３に示すように、搬出装置１２の搬送ベルト２１の表面には複数の貫通した孔２２が形成されており、搬送ベルト２１の用紙Ｐが接する側とは反対側には吸引部２５が設けられている。吸引部２５は、図示しないモータの駆動で回転して空気を吸い込む吸引ファン２６と、吸引ファン２６と搬送ベルト２１との間に設けられた開度調整自在なシャッター装置２７とを備えている。シャッター装置２７は、所定等角度間隔で複数の扇状の孔部が交互に形成され、所定位置に固定された円形の第１のシャッター板と、第１のシャッター板と同様の構造であって、第１のシャッター板に対して同心で回動可能とされた第２のシャッター板からなる。
【００２４】
従って、図２に示すように、第２のシャッター板の位置を調整して第１のシャッター板の孔を全開にすれば、吸引ファン２６は、矢印で示すようにシャッター装置２７の開口２８を通して搬送ベルト２１の孔２２を通過する空気流を起こすことができ、シャッター装置２７と反対側にある搬送ベルト２１の表面に用紙Ｐを吸着させることができる。また、図３に示すように、第２のシャッター板の位置を調整して第１のシャッター板の孔を全閉にすれば、搬送ベルト２１の孔２２を通過する空気流が生じないので、シャッター装置２７と反対側にある搬送ベルト２１の表面に用紙Ｐは吸着しない。また、図示しないが、シャッター装置２７の第２のシャッター板の回動位置を調整することによって、シャッター装置２７の開口２８の開口面積を図２と図３の間の任意の状態に設定することも可能であり、吸引ファン２６による搬送ベルト２１への用紙Ｐの吸着力を複数段階で設定することができる。
【００２５】
なお、図示はしないが、吸引部２５による搬送ベルト２１への用紙Ｐの吸着力の調整は、前述したように、シャッター装置２７の開口面積の調整よって行なうことができるが、吸引ファン２６の回転数を調整することによって行なうこともできる。また、シャッター装置２７の開口２８の開口面積の調整と、吸引ファン２６の回転数の調整を適宜組み合わせて行なうことにより、さらに細かい複数段階で吸着力を調整することも可能である。
【００２６】
（２）吸引力制御の概要（図４〜図７）
本実施形態の印刷装置１は、以上の構成において、印刷された用紙Ｐの印字率、インクの温度、用紙Ｐの種類に対応して吸引部２５による吸引力を制御部で制御することを特徴としている。
【００２７】
印刷された用紙Ｐをベルト搬送部としての搬出装置１２に吸着して搬送する場合には、印字率が高く、インクの用紙Ｐへの転移量が大きいと、用紙Ｐの重量が増大し、多量のインクの含浸により用紙Ｐが変形して搬送ベルト２１との隙間から空気漏れが生じる等、用紙Ｐを搬送ベルト２１に吸着させる作用が弱まってしまう。なお、ここで印字率とは、用紙Ｐにインクで形成された画像の分布（全面積の中で画像が形成されている領域の割合）と、当該画像の濃度から得られる数値であり、用紙Ｐに転移したインクの総量に対応する数値でもある。
【００２８】
本実施形態の制御において、図４に示すように、印刷済みのある用紙Ｐの印字率がレベル１であった場合、これに対応して、吸引ファン２６の吸引力を例えばレベル１に設定するとともに、吸引ファン２６の駆動時にはシャッター装置２７を所定の開度（例えば全開）とした。この時、設定した吸着力によって当該用紙Ｐは問題なく搬送ベルト２１に吸着できたものとする。
【００２９】
図５に示す印刷済みの用紙Ｐは、図４に示す用紙Ｐよりも印字率が約２倍のレベル２である。このような場合には、本実施形態の制御では、その印字率に対応して、吸引ファン２６の吸引力を例えば図４の場合の２倍であるレベル２に設定するとともに、シャッター装置２７の開度は図４の場合と同様とする。このようにすれば、印字率が２倍であるために、搬送ベルト２１により吸着しにくい印刷済みの用紙Ｐであっても、吸引ファン２６のより強い吸引力によって当該用紙Ｐを搬送ベルト２１に確実に吸着することができる。
【００３０】
なお、ここでは印字率に応じて吸引部２５の吸引力を制御するものとしたが、より具体的には、用紙Ｐに印刷された画像の濃度と、濃度の基準値（基準範囲）との比較や、用紙Ｐに印刷された画像の分布と、予め任意に決定しておいた標準的な分布との比較に基づいて吸引力を決定する。
【００３１】
なお、ここで印字率と吸引ファン２６の吸引力について示した「レベル」なる値は相対的な大小を示すために便宜的に示した数値例であって、実際には具体的な単位の数値を用い、より多段階で制御を行なってもかまわない。例えば、印字率が所定の基準値よりも高い場合に吸引力を高くする場合を説明したが、さらに印字率が所定の基準値よりも低い場合に吸引力を低くするようにし、基準値を中心とした複数段階の制御を行なうこととしてもよい。
【００３２】
また、図４及び図５では、用紙Ｐの画像が形成されている領域の部分だけで吸引部２５の吸引力を変えているが、このような制御を行なう場合には、用紙Ｐの搬送タイミングを計ることにより、搬送されてきた用紙Ｐ中の画像の部分が通過する間のみ吸引部２５の吸引力を調整する必要がある。しかし、一般的には、印刷される用紙Ｐの印字率によって必要な吸引力を定めれば、その版を用いて用紙Ｐを印刷、搬送している間は、特に画像部分とその他の白地部分を分けることなく、その吸引力を一定値として吸引ファン２６を連続的に駆動して吸引搬送を行なう方が制御はより簡単である。例えば、印刷装置１が孔版印刷装置である場合には、一度孔版原紙を製版すると、その版を用いて多数枚の用紙Ｐを連続して印刷することが多いので、その版の印字率に応じた吸引力を一度設定して制御手段の記憶部に記憶しておけば、印刷中はその設定値で吸引部２５を連続的に駆動して多数枚の用紙Ｐの印刷を行なうことができる。
【００３３】
次に、インクの温度も、搬送ベルト２１に対する吸引部２５による用紙Ｐの吸着力に影響を及ぼす。すなわち、インクの温度が高い場合には、インクの粘度が低くなり、用紙Ｐに対して浸透し易くなり、用紙Ｐはカールし易くなる。その結果、用紙Ｐが変形して搬送ベルト２１との隙間から空気漏れが生じる等、用紙Ｐを搬送ベルト２１に吸着させる作用が弱まってしまう。インクの温度が低い場合には逆の現象が起きる。
【００３４】
そこで本実施形態の制御では、インクの温度が高いほど、搬送ベルト２１に対する吸引部２５による用紙Ｐの吸着力を大きく設定する。インクの温度と吸着力の設定段階は２段階以上あればよい。例えば、温度が所定の基準値よりも高い場合に吸引力を高くする場合を説明したが、さらに温度が所定の基準値よりも低い場合に吸引力を低くするようにし、基準値を中心とした複数段階の制御を行なうこととしてもよい。
【００３５】
次に、用紙Ｐの種類、すなわち用紙Ｐのサイズ、紙厚（薄い又は厚い）、紙質（繊維密度が高い又は低い）も、搬送ベルト２１に対する吸引部２５による用紙Ｐの吸着力に影響を及ぼす。まず、用紙Ｐのサイズについては、図６に示すように、用紙Ｐサイズが大きいほど吸引ファン２６の吸引力を大きくし、用紙Ｐサイズが小さいほど吸引ファン２６の吸引力を小さくする。また、図７に示すように、紙厚と紙質については、紙厚が厚いほど又は紙質については繊維密度が高いほど吸引ファン２６の吸引力を大きくし、紙厚が薄いほど又は紙質については繊維密度が低いほど吸引ファン２６の吸引力を小さくする。
【００３６】
なお、用紙Ｐのサイズの設定方法であるが、用紙Ｐサイズの場合には、使用者が操作パネルから入力することもできるし、給紙部に設置された図示しないセンサで検出してもよい。また、紙厚の場合には、使用者が操作パネルから入力することもできるし、給紙部に設けられた図示しない給紙圧設定手段からの信号で設定することもできる。すなわち、給紙部の紙厚設定手段は、最適な給紙を実行するために用紙Ｐの種類に応じた紙厚をダイヤル等の調整で設定するようになっており、その設定値を外部に信号として出力させて吸引部２５の制御に使用することもできる。また、紙質の場合には、使用者が操作パネルから入力することができる。
【００３７】
（３）機能ブロック図と流れ図に基づく制御の詳細な説明
以上説明した本実施形態の印刷装置１における制御の実際について説明する。
図８は、この印刷装置１における制御を説明するためのブロック構成図である。制御部３０は、前述した印字率等に基づく吸引部２５の吸引力の制御を含む印刷制御全般を統括的に実行する機能部分であり、前述した２つの印刷部３，５や給紙部３１のほか、以下に説明するように図８に示す構成各部に接続されている。
【００３８】
まず画像読取部３２は、任意の原稿を読み取って画像データを取得するスキャナ等の装置であり、ここで読み取った画像データは読取制御部３３を介して制御部３０に送られる。読取制御部３３は、送られた画像データを処理する画像処理部３４と、画像データの処理によって取得された当該画像データの印字率を記憶する印字率記憶部３５を有している。製版部３６は、画像データに従って孔版原紙に製版を施す装置である。排版部３７は、使用済みの版を印刷部３，５から除去して所定の廃棄位置に廃棄する装置である。給紙部３１には、載置された用紙Ｐのサイズを検出する用紙Ｐサイズ検出部３８と、前述したように、用紙Ｐを円滑に送り出すために紙厚を設定する紙厚設定部３９を有している。
【００３９】
制御部３０にはＰＣ（パーソナルコンピュータ）４０を接続することができる。このＰＣ４０が有する画像データによって孔版原紙に製版画像を形成することもできる。制御部３０には、印刷条件の各種設定等に使用される操作パネル４１が接続されている。温度センサ４２は、前述したインクの温度に基づいて吸引部２５の吸引力を制御するために、インクの温度を検出する手段であり、図示しないインクタンクに設けられている。
【００４０】
用紙Ｐ搬送駆動部４３は、前述した第１の搬送部６と第２の搬送部７を制御する回路である。印刷済みの用紙Ｐを搬送する際に、画像が形成された部分でのみ吸引部２５の吸引力を高めるような制御を行なう場合には、１枚の用紙Ｐ中の特定部分でのみ吸引力の変更を行なう必要がある。このため、この用紙Ｐ搬送駆動部４３から用紙Ｐ搬送のスタート信号を取得し、吸引部２５に対する用紙Ｐの位置を正確に把握して制御を行なう必要がある。しかし、このような制御は行わず、その版の印字率から決定した吸引力となるように吸引部２５を常時駆動する場合には、特に用紙Ｐの搬送タイミングを計る必要はないため、用紙Ｐ搬送駆動部４３から用紙Ｐ搬送のスタート信号を取得する必要もない。
【００４１】
制御部３０にはファン駆動部４４が接続されており、このファン駆動部４４を介して前述した吸引部２５の吸引ファン２６を駆動することができる。さらに、制御部３０にはシャッター駆動部４５が接続されており、このシャッター駆動部４５を介して前述した吸引部２５のシャッター装置２７の開閉状態を制御することができる。
【００４２】
図９は、この印刷装置１における制御の手順を説明するフローチャートである。
画像読取部３２が原稿の画像を読み取って読取制御部３３に画像データを入力し、又はＰＣ４０から制御部３０に画像データが入力されると（Ｓ１）、制御部３０は読取制御部３３の画像処理部３４に画像データを処理させ、印字率を算出させる（Ｓ２）。算出した印字率は印字率記憶部３５に記憶される。
【００４３】
制御部３０は、この印字率が、予め定めた基準範囲内か否かを判断する（Ｓ３）。基準範囲よりも高い場合（Ｓ３、「高い」）は、多量のインクの付着によって用紙Ｐの吸着搬送に支障が生じる可能性があるため、吸引部２５の吸引力を増大させる決定を行い（Ｓ４）、また基準範囲よりも低い場合（Ｓ３、「低い」）は、吸引部２５の吸引力を減少させる決定を行う（Ｓ４）。基準範囲内の場合（Ｓ３、「普通」）は、吸引部２５の吸引力は初期設定通りとし、増減の調整は行なわない。
【００４４】
次に制御部３０は、印刷に使用する用紙Ｐの用紙Ｐサイズが、予め定めた基準サイズか否かを判断する（Ｓ５）。基準サイズよりも大きい場合（Ｓ５、「大きい」）は、吸引部２５の吸引力を増大させる決定を行い（Ｓ６）、また基準サイズよりも小さい場合（Ｓ５、「小さい」）は、吸引部２５の吸引力を減少させる決定を行う（Ｓ６）。基準サイズである場合（Ｓ５、「普通」）は、吸引部２５の吸引力は初期設定通りとし、増減の調整は行なわない。
【００４５】
次に制御部３０は、印刷に使用する用紙Ｐの紙厚を、予め定めた基準厚さと比較する（Ｓ７）。基準厚さよりも厚い場合（Ｓ７、「厚い」）は、吸引部２５の吸引力を増大させる決定を行い（Ｓ８）、また基準厚さよりも薄い場合（Ｓ７、「薄い」）は、吸引部２５の吸引力を減少させる決定を行う（Ｓ８）。基準厚さである場合（Ｓ７、「普通」）は、吸引部２５の吸引力は初期設定通りとし、増減の調整は行なわない。なお、この基準厚さは一定の幅をもたせて判断してもよい。
【００４６】
次に制御部３０は、印刷に使用する用紙Ｐの紙質を、予め定めた基準紙質と比較する（Ｓ９）。基準紙質よりも繊維密度が高い場合（Ｓ９、「高い」）は、吸引部２５の吸引力を増大させる決定を行い（Ｓ１０）、また基準紙質よりも繊維密度が低い場合（Ｓ９、「低い」）は、吸引部２５の吸引力を減少させる決定を行う（Ｓ１０）。基準紙質である場合（Ｓ９、「普通」）は、吸引部２５の吸引力は初期設定通りとし、増減の調整は行なわない。なお、この基準紙質は一定の幅をもたせて判断してもよい。なお、この紙質による判断は、紙質についての情報が操作パネル４１等を介して制御部３０に与えられた場合に行なわれ、そのような情報がない場合には吸引力の調整を行なわずに次のステップに移行する。
【００４７】
次に制御部３０は、インクの温度を、予め定めた基準温度と比較する（Ｓ１１）。基準温度よりも高い場合（Ｓ１１、「高い」）は、吸引部２５の吸引力を増大させる決定を行い（Ｓ１２）、また基準温度よりも低い場合（Ｓ１１、「低い」）は、吸引部２５の吸引力を減少させる決定を行う（Ｓ１２）。基準温度である場合（Ｓ１１、「普通」）は、吸引部２５の吸引力は初期設定通りとし、増減の調整は行なわない。なお、この基準温度は一定の幅をもたせて判断してもよい。
【００４８】
次に制御部３０は、吸引部２５の吸引ファン２６のファン制御がＯＮかＯＦＦかを判断する（Ｓ１３）。ＯＮの場合には、吸引ファン２６の回転数を変えられるため、シャッター装置２７の開閉率は一定としておき、吸引ファン２６による吸引力を決定する（Ｓ１４）。この決定は、上述したように印字率、用紙Ｐサイズ、紙厚、紙質そしてインク温度の各項目について、それぞれ吸引部２５の吸引力の増減を決定した結果に基づき、必要な吸引力が得られるように行なわれる。ＯＦＦの場合には、吸引ファン２６の回転数は一定で変えられないため、シャッター装置２７の開閉率を決定する（Ｓ１５）。この決定は、上述したように印字率、用紙Ｐサイズ、紙厚、紙質そしてインク温度の各項目について、それぞれ吸引部２５の吸引力の増減を決定した結果に基づき、必要な吸引力が得られるように行なわれる。
【００４９】
制御部３０は印刷を開始する（Ｓ１６）。Ｓ１５までの手順により、印刷装置１の搬出装置１２では、第１の印刷部３によって片面が印刷された用紙Ｐを、搬送ベルト２１に吸着して確実に第２の印刷部５に向けて搬送できるようになっているので、本印刷装置１による用紙Ｐの両面印刷は確実に実行される。
【００５０】
以上説明した実施形態は、孔版印刷方式の印刷装置１に係るものであったが、本発明の印刷装置１はインクが付着した用紙Ｐをベルト搬送する場合に支障が生じないようにするものであり、インクを使用して用紙Ｐに画像形成する印刷装置であれば効果が得られる。従って、本発明は孔版印刷方式に限定されるものではなく、インクを使用するその他の印刷方法について広く適用可能であり、例えばインクジェット印刷装置にも適用できる。
【００５１】
また以上説明した実施形態は、両面印刷装置に係るものであったが、本発明の印刷装置は印刷済みの印刷用紙Ｐをベルト搬送手段で次工程に搬送する場合に効果が得られるものであり、次の工程は必ずしも２回目の印刷である必要はない。従って本発明は両面印刷装置に限定されるものではなく、インクで印刷された用紙Ｐを何らかの目的でベルト搬出する印刷装置について広く適用可能である。
【符号の説明】
【００５２】
１…印刷装置
３…第１の印刷部
５…第２の印刷部
１２…ベルト搬送部としての搬出装置
２１…搬送ベルト
２５…吸引部
２６…吸引ファン
２７…シャッター装置
３０…制御部
Ｐ…用紙
【図１】
2012040805.tif 000003
【図２】
2012040805.tif 000004
【図３】
2012040805.tif 000005
【図４】
2012040805.tif 000006
【図５】
2012040805.tif 000007
【図６】
2012040805.tif 000008
【図７】
2012040805.tif 000009
【図８】
2012040805.tif 000010
【図９】
2012040805.tif 000011